(57)【要約】【課題】記録媒体に記録された当該記録媒体に固有の信号もしくはそれに基づく固有の再生情報を利用して、盗難にあった際には適正な情報再生動作を行わせることができないものとなるようにする。【解決手段】判別手段によって情報再生部により読み取られた固有の信号もしくはその固有の信号に基づいて得られた固有の再生情報がメモリ手段に格納された識別信号もしくは識別情報と一致することが判別された後、判別手段によって、新たに、情報再生部により読み取られた固有の信号もしくはその固有の信号に基づいて得られた固有の再生情報がメモリ手段に格納された識別信号もしくは識別情報と一致することが判別されることなく、予め設定された時間が経過したとき、情報再生部による記録媒体装着部に装着された記録媒体に記録されたそれに固有の信号以外の信号に基づく再生情報についての適正な再生動作を停止させる動作制限手段を備える。【選択図】図４
2005122785.tif 000002
【特許請求の範囲】
【請求項１】
記録媒体の装着がなされる記録媒体装着部と、
該記録媒体装着部に装着された記録媒体から該記録媒体に記録された信号を読み取り、読み取られた信号に基づく再生情報を得る情報再生部と、
上記記録媒体装着部に特定記録媒体が装着されたもとで、上記情報再生部により上記特定記録媒体から読み取られた該特定記録媒体に固有の信号もしくは該固有の信号に基づいて得られた固有の再生情報を、識別信号もしくは識別情報としてメモリ手段に格納して登録する登録手段と、
上記情報再生部によって上記記録媒体装着部に装着された記録媒体から該記録媒体に固有の信号が読み取られる毎もしくは該固有の信号に基づく固有の再生情報が得られる毎に、該固有の信号もしくは固有の再生情報が上記メモリ手段に格納された上記識別信号もしくは識別情報と一致するか否かを判別する判別手段と、
該判別手段によって上記情報再生部により読み取られた固有の信号もしくは該固有の信号に基づいて得られた固有の再生情報が上記メモリ手段に格納された識別信号もしくは識別情報と一致することが判別された後、上記情報判別手段によって、新たに、上記情報再生部により読み取られた固有の信号もしくは該固有の信号に基づいて得られた固有の再生情報が上記メモリ手段に格納された識別信号もしくは識別情報と一致することが判別されることなく、予め設定された時間が経過したとき、上記情報再生部による、上記記録媒体装着部に装着された記録媒体に記録された該記録媒体に固有の信号以外の信号に基づく再生情報についての、適正な再生動作を停止させる動作制限手段と、
を備えて構成される情報再生装置。
【請求項２】
上記固有の信号が、記録媒体に記録されたテーブル・オブ・コンテンツ・データとされることを特徴とする請求項１記載の情報再生装置。
【請求項３】
上記登録手段が、複数の互いに異なる識別信号もしくは識別情報を上記メモリ手段に格納して登録することができるものとされることを特徴とする請求項１記載の情報再生装置。
【請求項４】
上記動作制限手段が、上記情報再生部による上記記録媒体装着部に装着された記録媒体に記録された該記録媒体に固有の信号以外の信号に基づく再生情報についての適正な再生動作を停止させる動作制限状態をとった後、上記判別手段によって、上記情報再生部により読み取られた固有の信号もしくは該固有の信号に基づいて得られた固有の再生情報が上記メモリ手段に格納された識別信号もしくは識別情報と一致することが判別されたときには、上記動作制限状態を解除することを特徴とする請求項１記載の情報再生装置。
【請求項５】
上記動作制限手段が、上記判別手段によって、上記情報再生部により読み取られた固有の信号もしくは該固有の信号に基づいて得られた固有の再生情報が上記メモリ手段に格納された識別信号もしくは識別情報と一致することが判別された後、新たに、上記情報再生部により読み取られた固有の信号もしくは該固有の信号に基づいて得られた固有の再生情報が上記メモリ手段に格納された識別信号もしくは識別情報と一致することが判別されることなく、上記予め設定された時間より短い所定時間が経過したとき、上記記録媒体装着部への上記特定記録媒体の装着についての要求を行うことを特徴とする請求項１記載の情報再生装置。
【請求項６】
上記動作制限手段が、上記記録媒体装着部への上記特定記録媒体の装着についての要求を行った後、上記記録媒体装着部への上記特定記録媒体の装着がなされることなく、更なる所定時間が経過したとき、上記情報再生部による上記記録媒体装着部に装着された記録媒体に記録された該記録媒体に固有の信号以外の信号に基づく再生情報についての適正な再生動作を停止させることを特徴とする請求項５記載の情報再生装置。
【請求項７】
上記動作制限手段による上記記録媒体装着部への上記特定記録媒体の装着についての要求が、表示部により画像表示されることを特徴とする請求項５記載の情報再生装置。
【発明の詳細な説明】
【技術分野】
【０００１】
本願の特許請求の範囲に記載された発明は、記録媒体装着部に装着された記録媒体に記録された信号を読み取り、読み取られた信号に基づく再生情報を得る機能を果たすもとで、盗難予防効果をもたらす動作を行う情報再生装置に関する。
【背景技術】
【０００２】
情報記録媒体の一つであるコンパクト・ディスク（Compact Disc：以下、ＣＤという。）に記録された信号からオーディオ情報を再生するオーディオ機器等の情報再生装置にあっては、特に、それが小型・軽量化が図られた携帯用のものあるいは車載用のものとされるとき、盗難の対象とされ易いという問題がある。そのため、情報再生装置を、それが盗まれて持ち去られたときには、その使用に支障を生じて正常な情報再生動作を行わせることができないものとなるようにすることにより、盗難を予防することが考えられている。このような盗難予防の方策として、従来にあっては、情報再生装置の一部を取外し可能とすることによるものや、暗証コードを用いるもの等が提案されている。
【０００３】
情報再生装置の一部を取外し可能とすることによる盗難予防の方策にあっては、例えば、情報再生装置をその操作部の全部または部分の取り外しが容易なものとし、正規の使用者が当該情報再生装置を使用しないときには、操作部の全部または部分を情報再生装置から取り外してしまうようにする。それにより、情報再生装置から取り外された操作部の全部または部分を所持していない者、即ち、正規の使用者以外の者による情報再生装置の使用が妨げられることになり、その結果、情報再生装置が盗難にあう事態が予防される。
【０００４】
また、暗証コードを用いる盗難予防の方策にあっては、情報再生装置の正規の使用者が、当該情報再生装置に設けられた入力操作部を操作して、予め用意された暗証コードを一旦登録すると、その後は、情報再生装置を使用するには、その都度、入力操作部を通じての暗唱コードの入力が要求される。そして、入力操作部を通じて暗唱コードが入力されると、その入力された暗証コードが登録されている識別コードと照合され、その照合の結果、入力された暗証コードが登録されている識別コードと一致すると認識されたときのみ、情報再生装置を、適正な情報再生動作を行わせるべく使用できることになる。その結果、登録された暗証コードを知らない者、即ち、正規の使用者以外の者による情報再生装置の使用が妨げられることになり、その結果、情報再生装置が盗難にあう事態が予防される。
【０００５】
しかしながら、情報再生装置の一部、例えば、操作部の全部または部分を取外し可能とすることによる盗難予防の方策がとられる場合、正規の使用者が情報再生装置からの操作部の全部または部分の取外しを忘れ易いという問題がある。また、それに加えて、情報再生装置の操作部の全部または部分が、例えば、それと同じものを市販のものとして入手することが比較的容易なものであることが稀でなく、そのため、情報再生装置から操作部の全部または部分を取り外すことが、情報再生装置が盗難にあう事態の予防に然程有効でない虞もある。従って、暗証コードを用いる盗難予防の方策がとられる場合の方が、暗証コードが情報再生装置についての正規の使用者のみが知り得る情報とされる点で、情報再生装置の一部を取外し可能となすことによる盗難予防の方策がとられる場合に比して、情報再生装置が盗難にあう事態の予防に、より効果的であると言うこともできるが、情報再生装置についての正規の使用者であっても、暗証コードを忘れてしまうと、情報再生装置を適正な情報再生動作を行わせるべく使用することができないという不都合がある。
【０００６】
このような盗難予防の方策に対し、情報再生装置が、ＣＤ，ＤＶＤ（ディジタルバーサタイルディスク），ＭＤ（ミニディスク）等とされるディスク状の記録媒体に記録されたデータを再生するオーディオ機器とされるとき、そのディスク状の記録媒体に記録されたデータを利用してオーディオ機器の盗難を防止することが図られ、それにより、オーディオ機器についての正規の使用者が、例えば、暗証コード等を覚えておくことが不要とされたセキュリティ装置が提案されている（例えば、特許文献１参照。）。
【０００７】
このような既に提案されているセキュリティ装置は、例えば、ミニディスクが用いられるオーディオ機器の盗難を、ミニディスクにそれに固有のものとして記録されたテーブル・オブ・コンテンツ（Table of Contents ：以下、ＴＯＣという。）データを利用して防止することが図られたものとされている。そして、斯かるセキュリティ装置にあっては、オーディオ機器の使用者により選択された特定のミニディスクが識別用のＩＤディスクとされ、そのＩＤディスクに記録されているＴＯＣデータが、オーディオ機器に内蔵されたメモリに、識別用のデータとして格納される。そして、オーディオ機器が、それが搭載された車両のバッテリから外されて他の車両のバッテリに接続されると、他の車両においてバッテリ電圧に基づく電源電圧の変動が生じるが、この電源電圧の変動が検知され、それに応じてオーディオ機器が動作不能状態とされる。
【０００８】
このオーディオ機器の動作不能状態は、ＩＤディスクとされたミニディスクがオーディオ機器に装着されて、それに記録されているＴＯＣデータが、オーディオ機器に内蔵されたメモリに格納されている識別用のデータに照合され、それらＴＯＣデータと識別用のデータとが一致することが確認されると解除される。なお、ＩＤディスクとされるべく選択されたミニディスクは、それに記録されたＴＯＣデータが書き換え可能なものであるときには、そのＴＯＣデータを識別用のデータとしてメモリに格納することが不可とされて、ＩＤディスクとして使用することが回避されるようになされている。
【特許文献１】特許第２５６６１１７号公報
【発明の開示】
【発明が解決しようとする課題】
【０００９】
上述のようなセキュリティ装置は、ＩＤディスクとされたミニディスクの特定が、オーディオ機器の正規の使用者以外の者には困難とされ、それに伴い、オーディオ機器がそれが搭載された車両から他の車両へと不当に移載されて動作不能状態となったとき、その解除が困難とされることにより、オーディオ機器の盗難を防止する効果をもたらすことが意図されたものとされている。しかしながら、このセキュリティ装置は、オーディオ機器が、それが搭載された車両のバッテリから外されて他の車両のバッテリに接続されたとき、当該他の車両に生じるバッテリ電圧に基づく電源電圧の変動を検知して、オーディオ機器を動作不能状態となすものとされているため、オーディオ機器が、それが搭載された車両のバッテリに接続される必要のない電源内蔵型のもの、さらには、車載用のものでないものとされる場合には、適用できないという不都合がある。
【００１０】
斯かる点に鑑み、本願の特許請求の範囲に記載された発明は、記録媒体装着部に装着された記録媒体に記録された信号を読み取り、読み取られた信号に基づく再生情報を得る機能を果たすものとされたもとで、その一部を取外し可能となすこと、使用の都度暗証コードを入力すること、あるいは、供給される電源電圧の変動を検知すること等が必要とされることなく、盗難にあった際には適正な情報再生動作を行わせることができないものとなり、それにより、盗難予防を効果的に図ることができるようにされた情報再生装置を提供する。
【課題を解決するための手段】
【００１１】
本願の特許請求の範囲における請求項１から請求項７までのいずれかに記載された発明に係る情報再生装置は、記録媒体の装着がなされる記録媒体装着部と、記録媒体装着部に装着された記録媒体からそれに記録された信号を読み取り、読み取られた信号に基づく再生情報を得る情報再生部と、記録媒体装着部に特定記録媒体が装着されたもとで、情報再生部により特定記録媒体から読み取られたそれに固有の信号もしくはその固有の信号に基づいて得られた固有の再生情報を、識別信号もしくは識別情報としてメモリ手段に格納して登録する登録手段と、情報再生部によって記録媒体装着部に装着された記録媒体からそれに固有の信号が読み取られる毎もしくはその固有の信号に基づく固有の再生情報が得られる毎に、その固有の信号もしくは固有の再生情報がメモリ手段に格納された識別信号もしくは識別情報と一致するか否かを判別する判別手段と、判別手段によって情報再生部により読み取られた固有の信号もしくはその固有の信号に基づいて得られた固有の再生情報がメモリ手段に格納された識別信号もしくは識別情報と一致することが判別された後、情報判別手段によって、新たに、情報再生部により読み取られた固有の信号もしくはその固有の信号に基づいて得られた固有の再生情報がメモリ手段に格納された識別信号もしくは識別情報と一致することが判別されることなく、予め設定された時間が経過したとき、情報再生部による、記録媒体装着部に装着された記録媒体に記録されたそれに固有の信号以外の信号に基づく再生情報についての、適正な再生動作を停止させる動作制限手段と、を備えて構成される。
【発明の効果】
【００１２】
上述の本願の特許請求の範囲における請求項１から請求項７までのいずれかに記載された発明に係る情報再生装置によれば、例えば、ＣＤのような記録媒体であって、例えばＴＯＣとされる、その記録媒体に固有の信号が記録されたもののうちから、例えば、使用頻度の高いものが、特定記録媒体として選定され、その特定記録媒体が記録媒体装着部に装着されたもとで、情報再生部により特定記録媒体から読み取られたそれに固有の信号もしくはその固有の信号に基づいて得られた固有の再生情報が、登録手段により識別信号もしくは識別情報としてメモリ手段に格納されて登録される。そして、メモリ手段に識別信号もしくは識別情報が格納されたもとで、判別手段により、情報再生部によって記録媒体装着部に装着された記録媒体からそれに固有の信号が読み取られる毎もしくはその固有の信号に基づく固有の再生情報が得られる毎に、その固有の信号もしくは固有の再生情報がメモリ手段に格納された識別信号もしくは識別情報と一致するか否かが判別される。
【００１３】
このようなもとで、特定記録媒体の記録媒体装着部への装着が、予め設定された時間と同じあるいはそれより短い間隔をもって繰り返されるときには、特定記録媒体の記録媒体装着部への装着がなされる度に、判別手段によって情報再生部により読み取られた固有の信号もしくはその固有の信号に基づいて得られた固有の再生情報がメモリ手段に格納された識別信号もしくは識別情報と一致することが判別される状態とされ、情報再生装置は、情報再生部による記録媒体装着部に装着された記録媒体に記録された信号に基づく再生情報についての適正な再生動作が継続されるものとされる。
【００１４】
それに対して、特定記録媒体の記録媒体装着部への装着が、予め設定された時間より長い時間に亙ってなされないと、判別手段によって情報再生部により読み取られた固有の信号もしくはその固有の信号に基づいて得られた固有の再生情報がメモリ手段に格納された識別信号もしくは識別情報と一致することが判別された後、情報判別手段によって、新たに、情報再生部により読み取られた固有の信号もしくはその固有の信号に基づいて得られた固有の再生情報がメモリ手段に格納された識別信号もしくは識別情報と一致することが判別されることなく、予め設定された時間が経過することになり、動作制限手段により情報再生部による記録媒体装着部に装着された記録媒体に記録されたそれに固有の信号以外の信号に基づく再生情報についての適正な再生動作が停止されることになる。この動作制限手段により情報再生部の再生動作が制限される状態は、その後、特定記録媒体の記録媒体装着部への装着がなされて、判別手段により情報再生部により読み取られた固有の信号もしくはその固有の信号に基づいて得られた固有の再生情報がメモリ手段に格納された識別信号もしくは識別情報と一致することが判別されることによって、動作制限手段により解除されるが、解除されるまでは、情報再生装置が、記録媒体装着部に装着された記録媒体に記録された信号に基づく再生情報を適正に得ることができないものとされることになる。
【００１５】
このようなもとで、特定記録媒体が情報再生装置についての正規の使用者によって選定され、正規の使用者でない者は当該特定記録媒体を特定できない状況におかれる限り、情報再生装置が、一旦、動作制限手段により情報再生部による記録媒体装着部に装着された記録媒体に記録されたそれに固有の信号以外の信号に基づく再生情報についての適正な再生動作が停止される状態におかれると、情報再生装置についての正規の使用者でない者は、その状態を解除できず、情報再生装置に、記録媒体装着部に装着された記録媒体に記録された信号に基づく再生情報を適正に得る動作を行わせることができないことになる。
【００１６】
その結果、本願の特許請求の範囲における請求項１から請求項７までのいずれかに記載された発明に係る情報再生装置は、その一部を取外し可能となすこと、使用の都度暗証コードを入力すること、あるいは、供給される電源電圧の変動を検知すること等が必要とされることなく、例えば、正規の使用者でない者による盗難にあった際には適正な情報再生動作を行わせることができないものとなってしまう。その結果、盗難の対象としても仕方のないものとされ、盗難予防が効果的に図られることになる。
【発明を実施するための最良の形態】
【００１７】
本願の特許請求の範囲における請求項１から請求項７までのいずれかに記載された発明を実施するための最良の形態は、以下に述べられる実施例をもって説明される。
【実施例】
【００１８】
図１は、本願の特許請求の範囲における請求項１から請求項７までのいずれかに記載された発明に係る情報再生装置の一例の要部を示す。
【００１９】
図１に示される例は、記録媒体として、例えば、ＣＤが用いられるものであり、ＣＤ１０が記録媒体装着部を形成するディスク装着部１１に装着される、光学式の車載用オーディオ・ディスク・プレーヤとされている。ＣＤ１０は、図２に示されるように、中央孔１２が設けられるとともにその周囲に記録領域１３が広がるものとされ、記録領域１３においては、その最内周部に環状のリードインエリア１４が設けられ、また、その最外周部に環状のリードアウトエリア１５が設けられている。このような記録領域１３におけるリードインエリア１４とリードアウトエリア１５との間が、例えば、複数のチャプターとされるプログラムデータを形成するものとされたオーディオ信号データが、アドレスデータを伴って記録され、それにより渦巻状の記録トラックが形成されるプログラムエリアとされている。
【００２０】
リードインエリア１４には、それが設けられたＣＤ１０の記録領域１３に記録されている全ての曲についての索引等をあらわすＴＯＣデータが記録トラックを形成して記録されており、従って、ＴＯＣデータは、それが記録されたＣＤ１０についての固有の信号とされる。
【００２１】
ＣＤ１０は、ディスク装着部１１に装着されたもとで、ディスク回転駆動用モータ２０により所定の回転が与えられて駆動される。そして、斯かるＣＤ１０において、オーディオ信号データ，アドレスデータ及びＴＯＣデータは、信号読取手段である光学ヘッド２１により読み取られる。光学ヘッド２１は、例えば、レーザ光等の光ビームをＣＤ１０に照射し、ＣＤ１０の記録トラックに応じて変調されて反射される光ビームを光検出器で受けて読取信号Ｓｓを発生する。従って、光学ヘッド２１からの光ビームのＣＤ１０上の到達点が、ＣＤ１０上における光学ヘッド２１による読取位置となる。さらに、光学ヘッド２１は、ＣＤ１０に入射する光ビームを適正な収束状態に保つためのフォーカス制御機構及びＣＤ１０に入射する光ビームを記録トラックに適正に追従させるためのトラッキング制御機構を内蔵しており、また、その全体がＣＤ１０の半径方向、即ち、記録トラックを横切る方向に移動できるものとされている。
【００２２】
光学ヘッド２１から得られる読取信号Ｓｓは、読取信号処理部２２に供給され、読取信号処理部２２から、ＴＯＣデータ，プログラムデータ及びアドレスデータについての読取出力信号Ｓｐ，フォーカスエラー信号Ｓｆ及びトラッキングエラー信号Ｓｔが得られる。フォーカスエラー信号Ｓｆはフォーカス制御部２３に供給され、これに基づき、フォーカス制御部２３から駆動信号Ｃ１が光学ヘッド２１のフォーカス制御機構に供給されてフォーカスサーボコントロールが行われる。また、トラッキングエラー信号Ｓｔは読取位置制御部２４に供給され、これに基づき、読取位置制御部２４から駆動信号Ｃ２が光学ヘッド２１のトラッキング制御機構に供給されてトラッキングサーボコントロールが行われる。
【００２３】
さらに、読取信号処理部２２から得られるＴＯＣデータ，プログラムデータ及びアドレスデータについての読取出力信号Ｓｐはデコーダ２５に供給され、デコーダ２５からは、再生プログラムデータＰｇが得られるとともに、再生ＴＯＣデータＴｏ及び再生アドレスデータＲｄが検出される。そして、再生プログラムデータＰｇは、プログラムデータ処理部２６に供給されて各種の処理がなされ、プログラムデータ処理部２６から再生プログラム情報である再生オーディオ信号Ａｕが得られて、出力端子２７に導出される。また、再生ＴＯＣデータＴｏ及び再生アドレスデータＲｄの夫々は、動作制御部３０に供給され、必要に応じて動作制御部３０に内蔵されたメモリ手段に格納される。このメモリ手段には、図１に示される例についての正規の使用者（以下、単に正規の使用者という。）についての使用者情報が、登録使用者情報として予め格納されている。斯かる動作制御部３０に内蔵されたメモリに対する登録使用者情報の格納は、例えば、図１に示される例の使用が開始される際に正規の使用者によって行われる。
【００２４】
このようなもとで、光学ヘッド２１，読取信号処理部２２，デコーダ２５及びプログラムデータ処理部２６は、ディスク装着部１１に装着されたＣＤ１０からそれに記録された信号であるオーディオ信号データ，アドレスデータ及びＴＯＣデータを読み取り、読み取られたオーディオ信号データ，アドレスデータ及びＴＯＣデータに基づく再生情報である再生オーディオ信号Ａｕ，再生ＴＯＣデータＴｏ及び再生アドレスデータＲｄを得る情報再生部を形成している。
【００２５】
動作制御部３０においては、光学ヘッド２１によるＣＤ１０における読取位置を制御するための制御信号Ｃｃを読取位置制御部２４に、ディスク回転駆動用モータ２０の回転を制御するためのモータ制御信号Ｃｓをもモータ駆動部２８に、また、再生オーディオ信号Ａｕの形成及び送出を制御するための制御信号Ｃｍをプログラムデータ処理部２６に夫々供給する。
【００２６】
読取位置制御部２４は、動作制御部３０から制御信号Ｃｃが供給されると、光学ヘッド２１によるＣＤ１０における読取位置を移動させるべく、駆動信号Ｃ３を光学ヘッド２１に送出し、光学ヘッド２１にＣＤ１０の半径方向に急速に移動する順方向もしくは逆方向速送り動作を行わせ、また、駆動信号Ｃ２を送出して光学ヘッド２１に内蔵されたトラッキング制御機構に順方向もしくは逆方向のトラックジャンプ動作を行わせる等の制御状態をとるものとなり、光学ヘッド２１がサーチ動作を行うものとされる。そして、このようなサーチ動作に、動作制御部３０に供給されてメモリ手段に格納された再生ＴＯＣデータＴｏ及び再生アドレスデータＲｄが利用される。また、モータ駆動部２８は、動作制御部３０から制御信号Ｃｓが供給されると、それに応じて駆動信号Ｃ４をディスク回転駆動用モータ２０に送出し、ディスク回転駆動用モータ２０を、例えば、光学ヘッド２１によるＣＤ１０における読取位置に応じた回転数をもって回転させる。
【００２７】
さらに、ディスク装着部１１の近傍に、ディスク装着部１１にＣＤ１０が装着された状態を検出するディスク装着検出部２９が設けられている。ディスク装着検出部２９は、ディスク装着部１１にＣＤ１０が装着された状態を検出すると、ディスク装着部１１にＣＤ１０が装着されていることをあらわす検出出力信号Ｄｄを動作制御部３０に供給し、ディスク装着部１１にＣＤ１０が装着された状態を検出しない場合には、ディスク装着部１１にＣＤ１０が装着されていないことをあらわす検出出力信号Ｄｄを動作制御部３０に供給する。
【００２８】
動作制御部３０には、メモリ手段に加えて、ディスク装着部１１に特定のＣＤ１０が装着されたもとで、その特定のＣＤ１０から読み取られたそれに固有の信号であるＴＯＣデータに基づいてデコーダ２５から得られる再生ＴＯＣデータＴｏを、識別情報としてメモリ手段に格納して登録する登録手段と、ディスク装着部１１に装着されたＣＤ１０から読み取られたそれに固有の信号であるＴＯＣデータに基づいてデコーダ２５から再生ＴＯＣデータＴｏが得られる毎に、その再生ＴＯＣデータＴｏがメモリ手段に格納された識別情報と一致するか否かを判別する判別手段と、判別手段によってデコーダ２５から得られた再生ＴＯＣデータＴｏがメモリ手段に格納された識別情報と一致することが判別された後、判別手段によって、新たに、デコーダ２５から得られた再生ＴＯＣデータＴｏがメモリ手段に格納された識別情報と一致することが判別されることなく、予め設定された時間が経過したとき、プログラムデータ処理部２６によるディスク装着部１１に装着されたＣＤ１０に記録されたＴＯＣデータ以外の信号であるオーディオ信号データに基づく再生オーディオ信号Ａｕについての適正な再生動作を停止させる動作制限手段とが内蔵されている。また、動作制御部３０には、表示部３１と操作部３２とが接続されている。
【００２９】
このような動作制御部３０においては、操作部３２からの指令信号Ｓｘに応じて、各種の制御信号Ｃｓ，Ｃｃ，Ｃｍ等の送出がなされ，モータ駆動部２８，読取位置制御部２４，プログラムデータ処理部２６等の動作制御が行われるとともに、表示用信号Ｃｄが表示部３１に送出されて、表示部３１により各種の画像表示が行われる。
【００３０】
そして、動作制御部３０にあっては、正規の使用者によって操作部３２が操作され、操作部３２から、ＴＯＣデータの登録を要求する指令信号Ｓｘが供給され、さらに、使用者情報をあらわす情報信号Ｓｉが供給されると、先ず、情報信号Ｓｉがあらわす使用者情報と予めメモリ手段に格納された登録使用者情報とが一致するか否かが判別される。そして、情報信号Ｓｉがあらわす使用者情報と予めメモリ手段に格納された登録使用者情報とが一致しない場合には、ＴＯＣデータの登録を要求する指令信号Ｓｘに応じた動作は行わない。
【００３１】
それに対して、情報信号Ｓｉがあらわす使用者情報と予めメモリ手段に格納された登録使用者情報とが一致した場合には、ＴＯＣデータの登録を要求する指令信号Ｓｘに応じて、そのときディスク装着部１１に装着されているＣＤ１０、もしくは、その後装着されるＣＤ１０を、正規の使用者によって選定された特定のＣＤ１０として認定する。斯かる際、ディスク装着検出部２９からの検出出力信号Ｄｄが、ディスク装着部１１にＣＤ１０が装着されていないことをあらわす場合には、動作制御部３０は、ディスク装着部１１へのＣＤ１０の装着についての要求を行い、その要求をあらわす表示用信号Ｃｄを送出する。動作制御部３０からの表示用信号Ｃｄは表示部３１に供給され、表示部３１において、表示用信号Ｃｄに基づく、ディスク装着部１１へのＣＤ１０の装着についての要求をあらわす画像表示が行われる。そして、正規の使用者によってディスク装着部１１に特定のＣＤ１０が装着された状態がとられ、ディスク装着検出部２９からの検出出力信号Ｄｄが、ディスク装着部１１にＣＤ１０が装着されていることをあらわすものとされる。
【００３２】
続いて、登録手段が、ディスク装着部１１に装着された特定のＣＤ１０から読み取られたそれに固有の信号であるＴＯＣデータに基づいてデコーダ２５から得られる再生ＴＯＣデータＴｏを、識別情報としてメモリ手段に格納して登録する。斯かる際に、正規の使用者によって特定のＣＤ１０として選定されるＣＤ１０は、例えば、正規の使用者により、それに記録されているプログラムデータを形成するオーディオ信号データについての再生が頻繁に要求されて、ディスク装着部１１に装着される頻度の高いものとされる。
【００３３】
このようにして、登録手段による識別情報のメモリ手段への格納を伴った登録がなされたもとで、判別手段により、ディスク装着部１１にＣＤ１０が装着され、ディスク装着部１１に装着されたＣＤ１０から読み取られたＴＯＣデータに基づいてデコーダ２５から再生ＴＯＣデータＴｏが得られる毎に、その再生ＴＯＣデータＴｏがメモリ手段に格納された識別情報である再生ＴＯＣデータＴｏと一致するか否かが判別される。そして、判別手段によってデコーダ２５から得られた再生ＴＯＣデータＴｏがメモリ手段に格納された識別情報である再生ＴＯＣデータＴｏと一致することが判別された後、判別手段によって、新たに、デコーダ２５から得られた再生ＴＯＣデータＴｏがメモリ手段に格納された識別情報である再生ＴＯＣデータＴｏと一致することが判別されることなく、第１の所定時間が経過すると、動作制限手段が、ディスク装着部１１への上述の特定のＣＤ１０の装着についての要求を行い、その要求をあらわす表示用信号Ｃｄが、動作制御部３０から表示部３１に供給される状態となす。それにより、表示部３１において、表示用信号Ｃｄに基づく、ディスク装着部１１への特定のＣＤ１０の装着についての要求をあらわす画像表示が行われる。
【００３４】
動作制御部３０が表示用信号Ｃｄを送出した後、第２の所定時間が経過する前に、ディスク装着部１１への特定のＣＤ１０の装着がなされると、判別手段により、デコーダ２５から再生ＴＯＣデータＴｏが得られる毎に、その再生ＴＯＣデータＴｏがメモリ手段に格納された識別情報である再生ＴＯＣデータＴｏと一致するか否かが判別される状態に戻る。それに対して、動作制御部３０が表示用信号Ｃｄを送出した後、ディスク装着部１１への特定のＣＤ１０の装着がなされることなく、第２の所定時間が経過したときには、動作制限手段は、プログラムデータ処理部２６によるディスク装着部１１に装着されたＣＤ１０に記録されたＴＯＣデータ以外の信号であるオーディオ信号データに基づく再生オーディオ信号Ａｕについての適正な再生動作を停止させることとし、そのための制御信号Ｃｍが、動作制御部３０からプログラムデータ処理部２６に供給される状態となす。
【００３５】
それにより、プログラムデータ処理部２６が、ディスク装着部１１に装着されたＣＤ１０に記録されたＴＯＣデータ以外の信号であるオーディオ信号データに基づく再生オーディオ信号Ａｕについての適正な再生動作を停止する状態におかれる。
【００３６】
このようにして、動作制限手段が、プログラムデータ処理部２６によるディスク装着部１１に装着されたＣＤ１０に記録されたＴＯＣデータ以外の信号であるオーディオ信号データに基づく再生オーディオ信号Ａｕについての適正な再生動作を停止させる動作制限状態をとった後、ディスク装着部１１への特定のＣＤ１０の装着がなされ、判別手段によってデコーダ２５から得られる再生ＴＯＣデータＴｏがメモリ手段に格納された識別情報である再生ＴＯＣデータＴｏと一致することが判別されると、動作制限手段は上述の動作制限状態を解除する。
【００３７】
上述の第１の所定の時間及び第２の所定の時間は、両者で前述の予め設定された時間を成すことになる。即ち、第１の所定の時間及び第２の所定の時間は、いずれも、前述の予め設定された時間より短い時間であり、上述のようにして、動作制御部３０が制御信号Ｃｄを送出した後、ディスク装着部１１への特定のＣＤ１０の装着がなされることなく、第２の所定時間が経過したときには、判別手段によってデコーダ２５から得られた再生ＴＯＣデータＴｏがメモリ手段に格納された識別情報と一致することが判別された後、判別手段によって、新たに、デコーダ２５から得られた再生ＴＯＣデータＴｏがメモリ手段に格納された識別情報と一致することが判別されることなく、予め設定された時間が経過したことになる。
【００３８】
そして、斯かる際には、動作制限手段が、プログラムデータ処理部２６による、ディスク装着部１１に装着されたＣＤ１０に記録されたＴＯＣデータ以外の信号であるオーディオ信号データに基づく再生オーディオ信号Ａｕについての適正な再生動作を停止させることになるので、図１に示される例は、ディスク装着部１１に装着されたＣＤ１０に記録された信号に基づく再生情報を適正に得ることができないものとされることになり、それによって、図１に示される例についての盗難予防が効果的に図られることになる。
【００３９】
上述の図１に示される例にあっては、ディスク装着部１１に特定のＣＤ１０が装着されたもとにおいてデコーダ２５から得られる再生ＴＯＣデータＴｏが、動作制御部３０において、登録手段によりメモリ手段に識別情報として格納されて登録されるが、デコーダ２５から得られる再生ＴＯＣデータＴｏに代えて、読取信号処理部２２から得られる読取出力信号Ｓｐに含まれる特定のＣＤ１０から読み取られたＴＯＣデータが、動作制御部３０において、登録手段によりメモリ手段に識別情報として格納されて登録されるようになされてもよい。斯かる際には、動作制御部３０において、登録手段が、ディスク装着部１１に特定のＣＤ１０が装着されたもとで、その特定のＣＤ１０から読み取られたそれに固有の信号であるＴＯＣデータを、識別情報としてメモリ手段に格納して登録するものとされ、また、判別手段が、ディスク装着部１１に装着されたＣＤ１０から読み取られたそれに固有の信号であるＴＯＣデータが得られる毎に、そのＴＯＣデータがメモリ手段に格納された識別情報であるＴＯＣデータと一致するか否かを判別するものとされ、さらに、動作制限手段が、判別手段によって読取信号処理部２２から得られる読取出力信号Ｓｐに含まれるＴＯＣデータがメモリ手段に格納された識別情報であるＴＯＣデータと一致することが判別された後、判別手段によって、新たに、読取信号処理部２２から得られる読取出力信号Ｓｐに含まれるＴＯＣデータがメモリ手段に格納された識別情報であるＴＯＣデータと一致することが判別されることなく、予め設定された時間が経過したとき、プログラムデータ処理部２６によるディスク装着部１１に装着されたＣＤ１０に記録されたＴＯＣデータ以外の信号であるオーディオ信号データに基づく再生オーディオ信号Ａｕについての適正な再生動作を停止させるものとされる。
【００４０】
さらに、上述の図１に示される例にあっては、動作制限手段が、判別手段によってデコーダ２５から得られた再生ＴＯＣデータＴｏがメモリ手段に格納された識別情報と一致することが判別された後、判別手段によって、新たに、デコーダ２５から得られた再生ＴＯＣデータＴｏがメモリ手段に格納された識別情報と一致することが判別されることなく、予め設定された時間が経過したとき、プログラムデータ処理部２６によるディスク装着部１１に装着されたＣＤ１０に記録されたＴＯＣデータ以外の信号であるオーディオ信号データに基づく再生オーディオ信号Ａｕについての適正な再生動作を停止させるものとされているが、それに代えて、動作制限手段が、判別手段によってデコーダ２５から得られた再生ＴＯＣデータＴｏがメモリ手段に格納された識別情報と一致することが判別された後、判別手段によって、新たに、デコーダ２５から得られた再生ＴＯＣデータＴｏがメモリ手段に格納された識別情報と一致することが判別されることなく、予め設定された時間が経過したとき、あるいは、判別手段によって読取信号処理部２２から得られる読取出力信号Ｓｐに含まれるＴＯＣデータがメモリ手段に格納された識別情報であるＴＯＣデータと一致することが判別された後、判別手段によって、新たに、読取信号処理部２２から得られる読取出力信号Ｓｐに含まれるＴＯＣデータがメモリ手段に格納された識別情報であるＴＯＣデータと一致することが判別されることなく、予め設定された時間が経過したとき、光学ヘッド２１によるディスク装着部１１に装着されたＣＤ１０からのそれに記録されたＴＯＣデータ以外の信号であるオーディオ信号データについての読取動作を停止させる、読取信号処理部２２から得られる読取出力信号Ｓｐをオーディオ信号データを含まないものとする、あるいは、デコーダ２５から再生プログラムデータＰｇが得られないようにする等の動作を行うものとされてもよい。
【００４１】
上述の如くの制御動作を行う動作制御部３０は、例えば、マイクロコンピュータが用いられて構成される。図３は、動作制御部３０を構成するマイクロコンピュータが、再生ＴＯＣデータＴｏをメモリ手段に識別情報として格納して登録するに際して実行する動作プログラムの一例をあらわすフローチャートを示す。
【００４２】
図３に示されるフローチャートにあっては、スタート後、ステップ４１において、情報信号Ｓｉが到来したか否かを判断する。その結果、情報信号Ｓｉが到来していない場合には、ステップ４１での判断を繰り返し、情報信号Ｓｉが到来した場合には、ステップ４２において、情報信号Ｓｉがあらわす使用者情報と予めメモリ手段に格納された登録使用者情報とが一致するか否かを判別する。その結果、情報信号Ｓｉがあらわす使用者情報と予めメモリ手段に格納された登録使用者情報とが一致しない場合には、ステップ４１に戻る。
【００４３】
それに対して、情報信号Ｓｉがあらわす使用者情報と予めメモリ手段に格納された登録使用者情報とが一致した場合には、ステップ４３において、指令信号Ｓｘが到来したか否かを判断する。その結果、指令信号Ｓｘが到来していない場合には、ステップ４３での判断を繰り返し、指令信号Ｓｘが到来した場合には、ステップ４４において、ディスク装着検出部２９からの検出出力信号Ｄｄに基づき、ディスク装着部１１にＣＤ１０が装着されているか否かを判断する。
【００４４】
ステップ４４での判断の結果、ディスク装着部１１にＣＤ１０が装着されていない場合には、ステップ４５において、表示部３１によりディスク装着部１１へのＣＤ１０の装着についての要求が画像表示されているか否かを判断する。その結果、表示部３１によりディスク装着部１１へのＣＤ１０の装着についての要求が画像表示されていない場合には、ステップ４６において、ディスク装着部１１へのＣＤ１０の装着についての要求を行い、その要求をあらわす表示用信号Ｃｄの送出を開始して、ステップ４７に進む。これに対して、ステップ４５での判断の結果、表示部３１によりディスク装着部１１へのＣＤ１０の装着についての要求が画像表示されている場合には、ステップ４５から直接にステップ４７に進む。
【００４５】
ステップ４７においては、ステップ４６において表示用信号Ｃｄの送出を開始した後所定時間が経過したか否かを判断する。その結果、ステップ４６において表示用信号Ｃｄの送出を開始した後所定時間が経過していない場合には、ステップ４４に戻ってディスク装着部１１にＣＤ１０が装着されているか否かを判断し、また、ステップ４６において表示用信号Ｃｄの送出を開始した後所定時間が経過した場合には、ステップ４８において、ディスク装着部１１へのＣＤ１０の装着についての要求をあらわす表示用信号Ｃｄの送出を終了して、ステップ４１に戻る。
【００４６】
一方、ステップ４４での判断の結果、ディスク装着部１１にＣＤ１０が装着されている場合には、ディスク装着部１１に装着されたＣＤ１０を正規の使用者により選定された特定のＣＤ１０と認識し、ステップ５０において、表示部３１によりディスク装着部１１へのＣＤ１０の装着についての要求が画像表示されているか否かを判断する。その結果、表示部３１によりディスク装着部１１へのＣＤ１０の装着についての要求が画像表示されている場合には、ステップ５１において、ディスク装着部１１へのＣＤ１０の装着についての要求をあらわす表示用信号Ｃｄの送出を終了して、表示部３１によるディスク装着部１１へのＣＤ１０の装着についての要求についての画像表示を終了させて、ステップ５２に進む。それに対して、ステップ５０での判断の結果、表示部３１によりディスク装着部１１へのＣＤ１０の装着についての要求が画像表示されていない場合には、ステップ５０から直接にステップ５２に進む。
【００４７】
ステップ５２においては、再生ＴＯＣデータＴｏが到来しているか否かを判断する。その結果、再生ＴＯＣデータＴｏが到来している場合には、ステップ５３において、再生ＴＯＣデータＴｏを識別情報としてメモリ手段に格納して登録する。続いて、ステップ５４において、登録フラッグＴＦが１であるか否かを判断し、登録フラッグＴＦが１である場合には、ステップ４１に戻り、登録フラッグＴＦが１でない場合には、ステップ５５において、登録フラッグＴＦを１にし、その後、ステップ４１に戻る。
【００４８】
さらに、ステップ５２での判断の結果、再生ＴＯＣデータＴｏが到来していない場合には、ステップ５６において、ステップ４４でディスク装着部１１にＣＤ１０が装着されていると判断された後、所定時間が経過したか否かを判断する。その結果、所定時間が経過していない場合には、ステップ５２に戻って再生ＴＯＣデータＴｏが到来しているか否かを判断し、所定時間が経過した場合には、ステップ４１に戻る。
【００４９】
図４は、動作制御部３０を構成するマイクロコンピュータが、プログラムデータ処理部２６によるディスク装着部１１に装着されたＣＤ１０に記録されたＴＯＣデータ以外の信号であるオーディオ信号データに基づく再生オーディオ信号Ａｕについての適正な再生動作、を停止させる制御を行うにあたって実行する動作プログラムの一例をあらわすフローチャートを示す。
【００５０】
図４に示されるフローチャートにあっては、スタート後、ステップ６１において、ディスク装着検出部２９からの検出出力信号Ｄｄに基づき、ディスク装着部１１にＣＤ１０が装着されているか否かを判断する。その結果、ディスク装着部１１にＣＤ１０が装着されている場合には、ステップ６２において、表示部３１によりディスク装着部１１へのＣＤ１０の装着についての要求が画像表示されているか否かを判断する。その結果、表示部３１によりディスク装着部１１へのＣＤ１０の装着についての要求が画像表示されている場合には、ステップ６３において、ディスク装着部１１へのＣＤ１０の装着についての要求をあらわす表示用信号Ｃｄの送出を終了して、表示部３１によるディスク装着部１１へのＣＤ１０の装着についての要求についての画像表示を終了させて、ステップ６４に進む。それに対して、ステップ６２での判断の結果、表示部３１によりディスク装着部１１へのＣＤ１０の装着についての要求が画像表示されていない場合には、ステップ６２から直接にステップ６４に進む。
【００５１】
ステップ６４においては、登録フラッグＴＦが１であるか否かを判断し、登録フラッグＴＦが１でない場合には、ステップ６１に戻り、登録フラッグＴＦが１である場合には、ステップ６５に進む。ステップ６５においては、デコーダ２５から得られる再生ＴＯＣデータＴｏを取り込み、続くステップ６６において、ステップ６５において取り込まれた再生ＴＯＣデータＴｏがメモリ手段に格納されている識別情報である再生ＴＯＣデータＴｏと一致するか否かを判断する。その結果、ステップ６５において取り込まれた再生ＴＯＣデータＴｏがメモリ手段に格納されている識別情報である再生ＴＯＣデータＴｏと一致する場合には、ステップ６７において、プログラムデータ処理部２６が動作制限を受けていない正常動作状態にあるか否かを判断する。
【００５２】
ステップ６７での判断の結果、プログラムデータ処理部２６が動作制限を受けていて正常動作状態にない場合には、ステップ６８において、プログラムデータ処理部２６に正常動作を開始させる状態として、ステップ６９に進む。それに対して、ステップ６７での判断の結果、プログラムデータ処理部２６が動作制限を受けていない正常動作状態にある場合には、ステップ６７から直接にステップ６９に進む。
【００５３】
ステップ６９においては、チェックタイマーをスタートさせ、続くステップ７０において、チェックタイマーが計測するチェック時間が規定値を超えたか否かを判断する。その結果、チェック時間が規定値を超えていない場合には、ステップ７０での判断を繰り返し、チェック時間が規定値を超えた場合には、ステップ７１において、チェックタイマーをストップさせ、続くステップ７２において、ディスク装着部１１へのＣＤ１０の装着についての要求を行い、その要求をあらわす表示用信号Ｃｄの送出を開始して、ステップ６１に戻る。
【００５４】
また、ステップ６６での判断の結果、ステップ６５において取り込まれた再生ＴＯＣデータＴｏがメモリ手段に格納されている識別情報である再生ＴＯＣデータＴｏと一致しない場合には、ステップ６１に戻る。
【００５５】
一方、ステップ６１での判断の結果、ディスク装着部１１にＣＤ１０が装着されていない場合には、ステップ７３において、登録フラッグＴＦが１であるか否かを判断し、登録フラッグＴＦが１でない場合には、ステップ６１に戻り、登録フラッグＴＦが１である場合には、ステップ７４に進む。ステップ７４においては、プログラムデータ処理部２６が動作制限を受けていて正常動作状態にないか否かを判断する。
【００５６】
ステップ７４での判断の結果、プログラムデータ処理部２６が動作制限を受けていて正常動作状態にない場合には、ステップ６１に戻り、プログラムデータ処理部２６が動作制限を受けていず正常動作状態にある場合には、ステップ７５に進む。ステップ７５においては、ステップ６１におけるディスク装着部１１にＣＤ１０が装着されているか否かの最初の判断の後所定時間が経過したか否かを判断する。その結果、ステップ６１におけるディスク装着部１１にＣＤ１０が装着されているか否かの最初の判断の後所定時間が経過していない場合には、ステップ６１に戻り、ステップ６１におけるディスク装着部１１にＣＤ１０が装着されているか否かの最初の判断の後所定時間が経過した場合には、ステップ７６に進む。
【００５７】
ステップ７６においては、プログラムデータ処理部２６に対する動作制限が行われるようにする。続いて、ステップ７８において、ディスク装着部１１へのＣＤ１０の装着についての要求をあらわす表示用信号Ｃｄの送出を終了して、表示部３１によるディスク装着部１１へのＣＤ１０の装着についての要求についての画像表示を終了させて、ステップ６１に戻る。
【産業上の利用可能性】
【００５８】
上述のような本願の特許請求の範囲における請求項１から請求項７までのいずれかに記載された発明に係る情報再生装置は、例えばＣＤのような、記録媒体であって、例えばＴＯＣとされる、その記録媒体に固有の信号が記録されたものから、それに記録された情報を再生するものであって、使用者に特に意識させることなく、盗難予防に効果的な状態をとることができるものとして、広く実用に供されるものである。
【図面の簡単な説明】
【００５９】
【図１】本願の特許請求の範囲における請求項１から請求項７までのいずれかに記載された発明に係る情報再生装置の一例の要部を示すブロック構成図である。
【図２】図１に示される例のディスク装着部に装着されるＣＤの説明に供される平面図である。
【図３】図１に示される例における動作制御部を構成するマイクロコンピュータがその制御動作を行うにあたって実行する動作プログラムの一例を示すフローチャートである。
【図４】図１に示される例における動作制御部を構成するマイクロコンピュータがその制御動作を行うにあたって実行する動作プログラムの一例を示すフローチャートである。
【符号の説明】
【００６０】
２１・・・光学ヘッド，  ２２・・・読取信号処理部，  ２５・・・デコーダ，  ２６・・・プログラムデータ処理部，  ２７・・・出力端子，  ２９・・・ディスク装着検出部，  ３０・・・動作制御部，  ３１・・・表示部，  ３２・・・操作部
【図１】
2005122785.tif 000003
【図２】
2005122785.tif 000004
【図３】
2005122785.tif 000005
【図４】
2005122785.tif 000006